(57)【要約】【課題】ユーザによる検索対象概念の発見が容易でかつその概念による検索を可能にする。【解決手段】検索対象概念を受け付ける検索対象概念受付手段（１１）と、検索対象概念からの概念とコンテンツの検索を制御する概念コンテンツ検索制御手段（１２）と、検索された概念とコンテンツを検索結果で通知する検索結果通知手段（１４）と、検索結果で通知したコンテンツの指定を受け付けるコンテンツ指定受付手段（１５）と、指定されたコンテンツの関連概念またはその関連概念を検索する関連概念検索手段（１６）とを備え、この検索された関連概念を検索対象概念とした検索の制御を概念コンテンツ検索制御手段（１２）が行うことを特徴とする概念コンテンツ検索装置（１）としたことで、ユーザによる検索対象概念の発見を容易にできかつその概念による検索を可能にすることができる。【選択図】図１
2006227806.tif 000002
【特許請求の範囲】
【請求項１】
概念間および概念コンテンツ間およびその間のリンク強度を定義したユーザオントロジ辞書を用いて概念とコンテンツを検索する概念コンテンツ検索装置において、
検索対象概念を受け付ける検索対象概念受付手段と、
検索対象概念からの概念とコンテンツの検索を制御する概念コンテンツ検索制御手段と、
検索された概念とコンテンツを検索結果で通知する検索結果通知手段と、
検索結果で通知したコンテンツの指定を受け付けるコンテンツ指定受付手段と、
指定されたコンテンツの関連概念またはその関連概念を検索する関連概念検索手段とを備え、
この検索された関連概念を検索対象概念とした検索の制御を前記概念コンテンツ検索制御手段が行うことを特徴とする概念コンテンツ検索装置。
【請求項２】
検索された関連概念を通知し、
この関連概念が検索対象概念として指定されたときに当該検索対象概念からの概念とコンテンツの検索の制御を制御前記概念コンテンツ検索制御手段が行うことを特徴とする請求項１記載の概念コンテンツ検索装置。
【請求項３】
検索された複数の関連概念についてリンク強度を取得し、
取得されたリンク強度の高い関連概念が優先的に検索対象概念となるようにし、当該検索対象概念からの検索の制御を前記概念コンテンツ検索制御手段が行うことを特徴とする請求項１記載の概念コンテンツ検索装置。
【請求項４】
概念間および概念コンテンツ間およびその間のリンク強度を定義したユーザオントロジ辞書を用いて概念とコンテンツを検索する概念コンテンツ検索装置が行う概念コンテンツ検索方法において、
検索対象概念を受け付ける検索対象概念受付手段が検索対象概念を受け付け、
検索対象概念からの概念とコンテンツの検索を制御する概念コンテンツ検索制御手段が検索を制御し、
検索された概念とコンテンツを検索結果で通知する検索結果通知手段が検索結果を通知し、
検索結果で通知したコンテンツの指定を受け付けるコンテンツ指定受付手段がコンテンツの指定を受け付け、
指定されたコンテンツの関連概念またはその関連概念を検索する関連概念検索手段が関連概念を検索し、
この検索された関連概念を検索対象概念とした検索の制御を概念コンテンツ検索制御手段が行うことを特徴とする概念コンテンツ検索方法。
【請求項５】
検索された関連概念を通知し、
この関連概念が検索対象概念として指定されたときに当該検索対象概念からの概念とコンテンツの検索の制御を制御前記概念コンテンツ検索制御手段が行うことを特徴とする請求項４記載の概念コンテンツ検索方法。
【請求項６】
検索された複数の関連概念についてリンク強度を取得し、
取得されたリンク強度の高い関連概念が優先的に検索対象概念となるようにし、当該検索対象概念からの検索の制御を概念コンテンツ検索制御手段が行うことを特徴とする請求項４記載の概念コンテンツ検索方法。
【請求項７】
概念間および概念コンテンツ間およびその間のリンク強度を定義したユーザオントロジ辞書を用いて概念とコンテンツを検索する概念コンテンツ検索装置において、
検索対象概念を受け付ける検索対象概念受付手段と、
検索対象概念からの概念とコンテンツの検索を制御する概念コンテンツ検索制御手段と、
検索された概念とコンテンツを検索結果で通知する検索結果通知手段と、
検索結果で通知したコンテンツの指定を受け付けるコンテンツ指定受付手段と、
指定されたコンテンツの関連概念またはその関連概念を検索する関連概念検索手段とを備え、
この検索された関連概念を検索対象概念とした検索の制御を前記概念コンテンツ検索制御手段が行うことを特徴とする概念コンテンツ検索装置としてコンピュータを機能させるコンピュータプログラム。
【発明の詳細な説明】
【技術分野】
【０００１】
本発明は、ユーザによる検索対象概念の発見が容易かつその概念による検索が可能な概念コンテンツ検索装置および方法に関するものである。
【背景技術】
【０００２】
従来より、セマンティックウェブ分野においては、概念間の関係を表現するためにオントロジ辞書が用いられる。オントロジ辞書には、その辞書に含まれる任意の２つの概念間（以下、概念間）の関係の強さ（以下、リンク強度）と、その辞書に含まれる任意の概念と該概念に関係する（リンクするともいう）コンテンツとの間（以下、概念コンピュータ間）のリンク強度とを定義したものがある（特許文献１）。
【０００３】
オントロジ辞書は、特許文献１では、同一ユーザの評価などのユーザ情報から構築されている。また、オントロジ辞書は、そのユーザの年齢、性別、嗜好、履歴などのユーザ情報から構築してもよい。このような、同一ユーザのユーザ情報から構築されたオントロジ辞書はユーザオントロジ辞書という。
【０００４】
このユーザオントロジ辞書による検索では、最初にユーザにより指定された検索対象概念から概念およびコンテンツを検索し、検索結果をユーザに通知する。
【特許文献１】特開２００３−１０８５９７号公報
【発明の開示】
【発明が解決しようとする課題】
【０００５】
しかし、検索結果で通知されたコンテンツをユーザが不満とした場合、最初から検索対象概念を指定しなければならないので、利便性の向上が望まれている。
【０００６】
また、ユーザがコンテンツの検索を所望するとき、適当な概念が思い当たらないことがある。また、検索結果として得られたコンテンツを特徴付ける他の概念を知ることができないという問題がある。また、コンテンツをより強く特徴付けているの概念かがわからないという問題もある。
【０００７】
本発明は、上記課題に鑑みなされたもので、その目的とするところは、ユーザによる検索対象概念の発見が容易かつその概念による検索が可能な概念コンテンツ検索装置および方法を提供することにある。
【課題を解決するための手段】
【０００８】
上記の課題を解決するために、請求項１の本発明は、概念間および概念コンテンツ間およびその間のリンク強度を定義したユーザオントロジ辞書を用いて概念とコンテンツを検索する概念コンテンツ検索装置において、検索対象概念を受け付ける検索対象概念受付手段と、検索対象概念からの概念とコンテンツの検索を制御する概念コンテンツ検索制御手段と、検索された概念とコンテンツを検索結果で通知する検索結果通知手段と、検索結果で通知したコンテンツの指定を受け付けるコンテンツ指定受付手段と、指定されたコンテンツの関連概念またはその関連概念を検索する関連概念検索手段とを備え、この検索された関連概念を検索対象概念とした検索の制御を前記概念コンテンツ検索制御手段が行うことを特徴とする概念コンテンツ検索装置をもって解決手段とする。
【０００９】
請求項１の本発明では、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、この検索された関連概念を検索対象概念とした検索の制御を行うことで、ユーザによる検索対象概念の発見を容易にできかつその概念による検索を可能にすることができる。
【００１０】
請求項２の本発明は、検索された関連概念を通知し、この関連概念が検索対象概念として指定されたときに当該検索対象概念からの概念とコンテンツの検索の制御を制御前記概念コンテンツ検索制御手段が行うことを特徴とする請求項１記載の概念コンテンツ検索装置をもって解決手段とする。
【００１１】
請求項２の本発明では、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、検索された関連概念を通知し、この関連概念が検索対象概念として指定されたときに、この関連概念を検索対象概念とした検索の制御を行うことで、ユーザによる検索対象概念の発見を容易にできかつその概念による検索を可能にすることができる
請求項３の本発明は、検索された複数の関連概念についてリンク強度を取得し、取得されたリンク強度の高い関連概念が優先的に検索対象概念となるようにし、当該検索対象概念からの検索の制御を前記概念コンテンツ検索制御手段が行うことを特徴とする請求項１記載の概念コンテンツ検索装置をもって解決手段とする。
【００１２】
請求項３の本発明では、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、検索された複数の関連概念についてリンク強度を取得し、取得されたリンク強度の高い関連概念が優先的に検索対象概念となるようにし、検索対象概念からの検索の制御を行うことで、ユーザによる検索対象概念の発見を容易にできかつリンク強度の高い関連概念を優先的に検索対象概念とした検索を可能にすることができる
請求項４の本発明は、概念間および概念コンテンツ間およびその間のリンク強度を定義したユーザオントロジ辞書を用いて概念とコンテンツを検索する概念コンテンツ検索装置が行う概念コンテンツ検索方法において、検索対象概念を受け付ける検索対象概念受付手段が検索対象概念を受け付け、検索対象概念からの概念とコンテンツの検索を制御する概念コンテンツ検索制御手段が検索を制御し、検索された概念とコンテンツを検索結果で通知する検索結果通知手段が検索結果を通知し、検索結果で通知したコンテンツの指定を受け付けるコンテンツ指定受付手段がコンテンツの指定を受け付け、指定されたコンテンツの関連概念またはその関連概念を検索する関連概念検索手段が関連概念を検索し、この検索された関連概念を検索対象概念とした検索の制御を概念コンテンツ検索制御手段が行うことを特徴とする概念コンテンツ検索方法をもって解決手段とする。
【００１３】
請求項４の本発明では、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、この検索された関連概念を検索対象概念とした検索の制御を行うことで、ユーザによる検索対象概念の発見を容易にできかつその概念による検索を可能にすることができる
請求項５の本発明は、検索された関連概念を通知し、この関連概念が検索対象概念として指定されたときに当該検索対象概念からの概念とコンテンツの検索の制御を制御前記概念コンテンツ検索制御手段が行うことを特徴とする請求項４記載の概念コンテンツ検索方法をもって解決手段とする。
【００１４】
請求項５の本発明では、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、検索された関連概念を通知し、この関連概念が検索対象概念として指定されたときに、この関連概念を検索対象概念とした検索の制御を行うことで、ユーザによる検索対象概念の発見を容易にできかつその概念による検索を可能にすることができる
請求項６の本発明は、検索された複数の関連概念についてリンク強度を取得し、取得されたリンク強度の高い関連概念が優先的に検索対象概念となるようにし、当該検索対象概念からの検索の制御を概念コンテンツ検索制御手段が行うことを特徴とする請求項４記載の概念コンテンツ検索方法をもって解決手段とする。
【００１５】
請求項６の本発明では、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、検索された複数の関連概念についてリンク強度を取得し、取得されたリンク強度の高い関連概念が優先的に検索対象概念となるようにし、検索対象概念からの検索の制御を行うことで、ユーザによる検索対象概念の発見を容易にできかつリンク強度の高い関連概念を優先的に検索対象概念とした検索を可能にすることができる
請求項７の本発明は、概念間および概念コンテンツ間およびその間のリンク強度を定義したユーザオントロジ辞書を用いて概念とコンテンツを検索する概念コンテンツ検索装置において、検索対象概念を受け付ける検索対象概念受付手段と、検索対象概念からの概念とコンテンツの検索を制御する概念コンテンツ検索制御手段と、検索された概念とコンテンツを検索結果で通知する検索結果通知手段と、検索結果で通知したコンテンツの指定を受け付けるコンテンツ指定受付手段と、指定されたコンテンツの関連概念またはその関連概念を検索する関連概念検索手段とを備え、この検索された関連概念を検索対象概念とした検索の制御を前記概念コンテンツ検索制御手段が行うことを特徴とする概念コンテンツ検索装置としてコンピュータを機能させるコンピュータプログラムをもって解決手段とする。
【００１６】
請求項７の本発明では、概念間および概念コンテンツ間およびその間のリンク強度を定義したユーザオントロジ辞書を用いて概念とコンテンツを検索する概念コンテンツ検索装置において、検索対象概念を受け付ける検索対象概念受付手段と、検索対象概念からの概念とコンテンツの検索を制御する概念コンテンツ検索制御手段と、検索された概念とコンテンツを検索結果で通知する検索結果通知手段と、検索結果で通知したコンテンツの指定を受け付けるコンテンツ指定受付手段と、指定されたコンテンツの関連概念またはその関連概念を検索する関連概念検索手段とを備え、この検索された関連概念を検索対象概念とした検索の制御を前記概念コンテンツ検索制御手段が行うことを特徴とする概念コンテンツ検索装置としてコンピュータを機能させるコンピュータプログラムを流通可能にする。
【発明の効果】
【００１７】
本発明によれば、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、この検索された関連概念を検索対象概念とした検索の制御を行うことで、ユーザによる検索対象概念の発見を容易にできかつその概念による検索を可能にすることができる
また、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、検索された関連概念を通知し、この関連概念が検索対象概念として指定されたときに、この関連概念を検索対象概念とした検索の制御を行うことで、ユーザによる検索対象概念の発見を容易にできかつその関連概念による検索を可能にすることができる
また、検索対象概念を受け付け、検索対象概念からの概念とコンテンツの検索を制御し、検索された概念とコンテンツを検索結果で通知し、検索結果で通知したコンテンツの指定を受け付け、指定されたコンテンツの関連概念またはその関連概念を検索し、検索された複数の関連概念についてリンク強度を取得し、取得されたリンク強度の高い関連概念が優先的に検索対象概念となるようにし、検索対象概念からの検索の制御を行うことで、ユーザによる検索対象概念の発見を容易にできかつその概念による検索を可能にすることができる
【発明を実施するための最良の形態】
【００１８】
以下、本発明の実施の形態を図面を参照して説明する。
【００１９】
図１は、本実施の形態に係るシステムの概略構成図である
概念コンテンツ検索装置１は、概念とコンテンツを検索した検索結果を検索要求装置２へ送信する装置であり、パーソナルコンピュータやワークステーションなどのコンピュータが所定のコンピュータプログラムを実行することにより、このコンピュータが装置１として機能するようになっている。装置１と装置２はインターネットやイントラネットなどのコンピュータネットワークで接続される。概念は、例えば、日本語表記された文字列を含む。一方、コンテンツは、例えば、ホームページであるが、音声や映像を圧縮したファイルなどでもよい。
【００２０】
概念コンテンツ検索装置１は、検索対象概念を受け付ける検索対象概念受付部１１と、概念とコンテンツの検索を制御する概念コンテンツ検索制御部１２と、検索結果を決定する検索結果決定部１３と、検索結果を通知する検索結果通知部１４と、コンテンツの指定を受け付けるコンテンツ指定受付部１５と、関連概念を検索する関連概念検索部１６と、リンク強度を取得するリンク強度取得部１７と、関連概念を決定する関連概念決定部１８と、検索要求装置２を使用するユーザの概念間および概念コンテンツ間およびその間のリンク強度を定義したユーザオントロジ辞書３１と、ユーザオントロジ辞書３１を管理するユーザオントロジ辞書管理部３２とを備える。なお、以下の説明では、装置１内での情報送信に言及するが、これを該装置が備える図示しない記憶装置を介して行ってもよい。また、要求に基づく情報処理に言及するが、この情報は、この記憶装置の所定の場所に格納され、ここから適宜各処理部が情報を読み出して処理するようになっている。
【００２１】
検索要求装置２は、検索対象概念を送信する検索対象概念送信部２１と、検索結果を受け付ける検索結果受付部２２と、コンテンツを指定するコンテンツ指定部２３と、関連概念を指定する関連概念指定部２４と、検索対象概念を指定する検索対象概念指定部２５をとを備え、装置１と同様に、コンピュータがプログラムを実行して装置２として機能する。このプログラムは、例えば、ウェブブラウザとともに用いられる。
【００２２】
図２は、ユーザオントロジ辞書３１の構成図である。
【００２３】
概念間のリンク情報は、Ｌ（Ｃ３、Ｃ４、３３）のように示す。これでは、概念（以下、Ｃは概念を示す情報（ここでは概念という）を示す）Ｃ４が概念Ｃ３の”子”概念であることを示す。また、リンク強度が３３であることを示す。また、概念コンテンツ間のリンク情報は、Ｌ（Ｃ５、Ｐ１、１０）のように示す。これでは、コンテンツＰ（以下、Ｐはコンテンツを示す）１が概念Ｃ５とリンクするコンテンツであることを示す。また、リンク強度が１０であることを示す。コンテンツはユーザオントロジ辞書３１には含まれず、例えば、Ｌ（Ｃ５、Ｐ１、１０）の中にはＰ１のＵＲＩ(Universal Resource Indicator)を格納し、それを検索結果に含ませるようになっている。
【００２４】
次に、本実施の形態の動作を説明する。なお、説明には適宜例示を用いることとする。また、符号つきの用語を適宜符号のみで説明することとする。
【００２５】
図１において、検索要求装置２の検索対象概念送信部２１は、例えば、検索対象概念Ｃ５「カクテル」を概念コンテンツ検索装置１の検索対象概念受付部１１に送信する（ステップＳ１）。
【００２６】
検索対象概念受付部１１は、概念コンテンツ検索制御部１２に対し、概念コンテンツ検索要求を行う（ステップＳ３）。
【００２７】
概念コンテンツ検索制御部１２は、概念コンテンツ検索要求とともにＣ５をユーザオントロジ辞書管理部３２に送信する（ステップＳ５）。
【００２８】
ユーザオントロジ辞書管理部３２は、Ｃ５の子概念、同値概念、リンク情報を検索する（ステップＳ７）。図２では、Ｃ６（Ｃ５の同値概念）およびＬ（Ｃ５、Ｃ６、５）、Ｐ１（Ｃ５にリンクするコンテンツ）およびＬ（Ｃ５、Ｐ１、１０）を検索する。なお、ここでは、他の概念、リンク情報も検索されたことにする。そして、ユーザオントロジ辞書管理部３２は、これらを概念コンテンツ検索制御部１２に送信する（ステップＳ９）。
【００２９】
概念コンテンツ検索制御部１２は、検索結果決定部１３に検索結果決定要求を行い（ステップＳ１１）、検索結果決定部１３は、以下のように検索結果を決定する（ステップＳ１３）。
【００３０】
検索結果決定部１３は、リンク強度の中で、所定の閾値に満たないものを含むリンク情報を削除し、検索対象概念Ｃ５と、これに対して、削除されていないリンク情報でリンクする概念およびコンテンツとを、検索結果としての概念およびコンテンツとして決定する。
【００３１】
なお、検索結果としての概念を検索対象概念として概念コンテンツ検索制御部１２に渡し、これにより、検索対象概念Ｃ５から行った検索と同様の検索、またはこの検索ならびに同様のリンク情報の削除、つまり再帰的処理を１回以上行ってもよい。
【００３２】
ここでは、Ｃ５と、Ｃ６と、Ｐ１（新宿のカクテル、ワインバー”ＸＹＺ”のホームページ）が検索結果として決定されたこととする。
【００３３】
このようにして、検索結果が決定すると、検索結果決定部１３は、検索結果通知部１４に対し、検索結果通知要求を行い（ステップＳ１４）、検索結果通知部１４は、検索結果を検索要求装置２の検索結果受付部２２に通知する（ステップＳ１５）。
【００３４】
検索結果受付部２２は、通知された検索結果を表示させる（ステップＳ１７）。
【００３５】
コンテンツ指定部２３は、例えば、検索結果で所望のコンテンツが通知されなかったことを不満に思ったユーザが所望のコンテンツを求めてＰ１を指定すると、指定されたＰ１をコンテンツ指定受付部１５に通知する（ステップＳ１９）。
【００３６】
コンテンツ指定受付部１５は、Ｐ１が指定されたことを関連概念検索部１６に通知し（ステップＳ２１）、関連概念検索部１６は、そのことをユーザオントロジ辞書管理部３２に通知する（ステップＳ２３）。
【００３７】
ユーザオントロジ辞書管理部３２は、通知されたＰ１にリンクする概念であって先に検索した概念でない概念を検索する（ステップＳ２５）。例えば、図２において、概念Ｃ３「ワイン」、Ｃ８「新宿」を検索する（Ｓ２５）。そして、ユーザオントロジ辞書管理部３２は、Ｃ３、Ｃ８を関連概念検索部１６へ送信し（ステップＳ２７）、関連概念検索部１６は、リンク強度取得部１７へリンク強度取得要求を行う（ステップＳ２９）。
【００３８】
リンク強度取得部１７は、ユーザオントロジ辞書管理部３２に対し、Ｐ１とＣ３との間のリンク情報と、Ｐ１とＣ８との間のリンク情報とを要求する（ステップＳ３１）。
【００３９】
ユーザオントロジ辞書管理部３２は、要求されたリンク情報を検索して（ステップＳ３３）、これらをリンク強度取得部１７へ送信する（ステップＳ３５）。
【００４０】
リンク強度取得部１７は、関連概念決定部１８に関連概念を決定するように要求する（ステップＳ３７）。
【００４１】
関連概念決定部１８は、Ｓ３５で送信されたリンク情報から、所定の閾値に満たないリンク強度を含むリンク情報を削除し、指定されたコンテンツＰ１に対して、削除されていないリンク情報でリンクする概念を、関連概念として決定する（ステップＳ３９）。ここでは、Ｐ１とＣ３との間のリンク強度が２２、Ｐ１とＣ８との間のリンク強度が１８であり、閾値が例えば、２０であり、その結果、Ｃ３が関連概念として決定されたこととする。なお、不要なら閾値による絞り込みを省略してもよい。
【００４２】
このようにして、関連概念が決定すると、関連概念は検索要求装置２に通知され、表示される。
【００４３】
関連概念指定部２４は、例えば、表示された関連概念Ｃ３「ワイン」の子概念を所望するユーザによりＣ３が指定されると、指定されたＣ３を関連概念決定部１８に通知する（ステップＳ４５）。
【００４４】
関連概念決定部１８は、リンク強度取得部１７を介して、関連概念検索部１６に概念検索要求を行い（ステップＳ４９，５１）、関連概念検索部１６は、ユーザオントロジ辞書管理部３２に対し概念検索要求を行うとともに、指定されたＣ３を通知する（ステップＳ５３）。
【００４５】
ユーザオントロジ辞書管理部３２は、通知されたＣ３にリンクする概念（子概念、同値概念どちらでも、両方でもよい）であって先に検索した概念でない概念を検索する（ステップＳ５５）。例えば、図２の概念Ｃ４「白ワイン」を検索する。そして、ユーザオントロジ辞書管理部３２は、検索された概念を関連概念検索部１６へ送信し（ステップＳ５７）、関連概念検索部１６は、リンク強度取得部１７へリンク強度取得要求を行う（ステップＳ５９）。
【００４６】
リンク強度取得部１７は、ユーザオントロジ辞書管理部３２に対し、指定された関連概念Ｃ３とＣ４との間のリンク情報を要求する（ステップＳ６１）。
【００４７】
ユーザオントロジ辞書管理部３２は、要求されたリンク情報を検索して（ステップＳ６３）、このリンク情報をリンク強度取得部１７へ送信する（ステップＳ６５）。
【００４８】
リンク強度取得部１７は、関連概念決定部１８に関連概念を決定するように要求する（ステップＳ６７）。
【００４９】
関連概念決定部１８は、Ｓ６５で送信されたリンク情報から、所定の閾値に満たないリンク強度を含むリンク情報を削除し、指定された関連概念Ｃ３に対して、削除されていないリンク情報でリンクする概念、ここでは概念Ｃ４「白ワイン」を関連概念として決定する（ステップＳ６９）。なお、不要なら閾値による絞り込みを省略してもよい。
【００５０】
このようにして、関連概念が決定すると、関連概念は検索要求装置２に通知され、表示される。
【００５１】
検索対象概念指定部２５は、ユーザの指示に従い、例えば、表示された関連概念Ｃ４「白ワイン」を検索対象概念として、関連概念決定部１８に対して指定する（ステップＳ７５）。
【００５２】
なお、Ｃ４を含めて複数の関連概念が表示された場合においても、検索対象概念指定部２５は、ユーザの指示、この場合は選択指示に従い、Ｃ４などを検索対象概念として、関連概念決定部１８に対して指定する。
【００５３】
関連概念決定部１８は、この検索対象概念としての指定を受け付け、概念コンテンツ検索制御部１２に概念コンテンツ検索要求を行う（ステップＳ７７）。
【００５４】
以降は、検索対象概念として新たに決定されたＣ４について、前述したステップＳ３後の処理と同様の処理がなされる。
【００５５】
この処理においては、図２に示すように、Ｃ４とＰ２「渋谷のワインバー”ＡＢＣ”のホームページ」の間のリンク情報が検索され（Ｓ７）、Ｐ２が検索結果として決定され（Ｓ１３）、検索結果受付部２２により表示される（Ｓ１７）。
【００５６】
Ｐ２が指定され通知される（Ｓ１９）と、図２に示すように、Ｃ９（渋谷）が検索され（Ｓ２５）、表示される。
【００５７】
Ｃ９が検索対象概念して決定され、通知される（Ｓ１０１）と、このＣ９とＰ３「渋谷の居酒屋”ＤＥＦ”のホームページ」の間のリンク情報が検索され（Ｓ７）、Ｐ３が検索結果として決定され（Ｓ１３）、検索結果受付部２２により表示される（Ｓ１７）。
【００５８】
以上説明したように、本実施の形態によれば、概念間および概念コンテンツ間およびその間のリンク強度を定義したユーザオントロジ辞書を用いて概念とコンテンツを検索する概念コンテンツ検索装置を、検索対象概念を受け付ける検索対象概念受付手段（１１）と、検索対象概念からの概念とコンテンツの検索を制御する概念コンテンツ検索制御手段（１２）と、検索された概念とコンテンツを検索結果で通知する検索結果通知手段（１４）と、検索結果で通知したコンテンツの指定を受け付けるコンテンツ指定受付手段（１５）と、指定されたコンテンツの関連概念またはその関連概念を検索する関連概念検索手段（１６）とを備え、この検索された関連概念を検索対象概念とした検索の制御を概念コンテンツ検索制御手段（１２）が行うことを特徴とする概念コンテンツ検索装置（１）としたことで、ユーザによる検索対象概念の発見を容易にできかつその概念による検索を可能にすることができる
つまり、ユーザにより指定されたコンテンツに関連する概念が検索されるので、これを通知することにより、ユーザは、検索に適する概念を容易を発見することができる。
【００５９】
また、ユーザは、最初に指定した検索対象概念から検索されたコンテンツを強く特徴付けている他の概念を知ることができる。例えば、最初に指定した検索対象概念「温泉」から検索されたコンテンツ「旅館のホームページ」が通知されたときに、そのコンテンツを指定すれば、実はその旅館を強く特徴付けているのは、概念「犬と泊まれる宿」であることを知ることができる。よって、犬の嫌いなユーザは宿泊を思いとどまることができる。
【００６０】
また、検索された関連概念を通知し、この関連概念が検索対象概念として指定されたときに当該検索対象概念からの概念とコンテンツの検索の制御を概念コンテンツ検索制御手段（１２）が行うことで、ユーザによる検索対象概念の発見を容易にできかつその概念による検索を可能にすることができる。
【００６１】
また、検索された複数の関連概念についてリンク強度を取得し、取得されたリンク強度の高い関連概念が優先的に検索対象概念となるようにし、当該検索対象概念からの検索の制御を概念コンテンツ検索制御手段（１２）が行うことで、ユーザによる検索対象概念の発見を容易にできかつリンク強度の高い関連概念を優先的に検索対象概念とした検索を可能にすることができる。
【００６２】
なお、上記説明した装置１としてコンピュータを機能させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００６３】
【図１】本実施の形態に係るシステムの概略構成図である。
【図２】ユーザオントロジ辞書３１の構成図である。
【符号の説明】
【００６４】
１…概念コンテンツ検索装置
２…検索要求装置
１１…検索対象概念受付部
１２…概念コンテンツ検索制御部
１３…検索結果決定部
１４…検索結果通知部
１５…コンテンツ指定受付部
１６…関連概念検索部
１７…リンク強度取得部
１８…関連概念決定部
２１…検索対象概念送信部
２２…検索結果受付部
２３…コンテンツ指定部
２４…関連概念指定部
２５…検索対象概念指定部
３１…ユーザオントロジ辞書
３２…ユーザオントロジ辞書管理部
【図１】
2006227806.tif 000003
【図２】
2006227806.tif 000004